(57)【要約】【課題】  構築済みの石積み体を石を積み直すことなく緑化でき、しかも植物が良好に生育して安定的に定着できるようにする。【解決手段】  堆積土又は堆肥化した植物廃材あるいはこれらを混合した基盤材と繊維片と水和反応で固化する固化材と植物の種子と肥料と水とを混練して植生基材６を作製し、その植生基材６を石２と石２の間の隙間３から裏込栗石層４に対して圧入するとともに石２と石２の間の隙間３に充填する。所定時間が経過すると、固化材が水和反応で固化し、基盤材と繊維片が立体網状に連結して多数の微細な空隙が形成されるとともに、植生基材６が石２と裏込栗石５に強固に固着する。その後、植生基材６内の種子が発芽し、石２と石２の間の隙間３から植物Ｐが伸長して生育し、石積み体１が緑化される。【選択図】  図１
2012021348.tif 000002
【特許請求の範囲】
【請求項１】
地盤の側面位置に石を積み上げ、その石と地盤の間に裏込栗石を充填して構築した石積み体における緑化工法であって、堆積土又は堆肥化した植物廃材あるいはこれらを混合した基盤材と繊維片と水和反応で固化する固化材と植物の種子と肥料と水とを混練して植生基材を作製し、その植生基材を石と石の間の隙間から裏込栗石の層に対して圧入するとともに石と石の間の隙間に充填し、植生基材内の固化材の固化によって基盤材と繊維片を立体網状に連結させ、植生基材内の種子を発芽させて石と石の間の隙間から伸長させるようにしたことを特徴とする、石積み体の緑化工法。
【請求項２】
基盤材と繊維片と固化材と種子と肥料と水との配合比が、基盤材１０００Ｌ容積に対して繊維片が１０〜２０ｋｇ、固化材が２０〜４０ｋｇ、種子が２００〜５００ｇ、肥料が５〜１５ｋｇ、水が０．２〜０．３ｍ３である、請求項１記載の石積み体の緑化工法。
【請求項３】
石積み体が河川の堤体を構成するものである、請求項１又は２記載の石積み体の緑化工法。
【発明の詳細な説明】
【技術分野】
【０００１】
本発明は、石積み体を緑化する工法に関する。
【背景技術】
【０００２】
従来、河川の岸壁には表土の流出を防止するために石積み体を構築している箇所がある。石積み体には、構築後に石と石の間の隙間に堆積した土壌から植物が植生することがあるが、河川の増水や強雨等で土壌が流出し、苔以外の植物が定着することは難しいものであった。この石積み体を緑化して自然の景観を回復させようとする技術が特許文献１，２に開示されている。
【０００３】
特許文献１に記載の技術は、可撓性及び透水性を有する網状の植生袋に植物の種子と用土を収容し、その植生袋を先端部が石積み体の壁面から露出しないように且つ後端部が裏込栗石に達するように石と石の間に配置したことを特徴としている。この技術によれば、発芽した植物が植生袋の先端部から伸長して石と石の間の隙間から生長し、根は植生袋の後端部から伸長して裏込栗石及び地盤の方に生長できるようにした、というものである。
【０００４】
特許文献２に記載の技術は、泥炭に保水剤と種子と肥料を添加して緑化マットを成形し、その緑化マットを石積み体の表面に被覆して金具で石に定着したことを特徴としている。この技術によれば、緑化マットが可撓性に富むから石積み体の凹凸に柔軟に馴染んで取り付け状態が安定し、しかも石積み体の全面を被覆するから広範囲に渡って万遍なく緑化できる、というものである。
【０００５】
ところで、特許文献１に記載の技術は、石の積み上げと植生袋の配置を並行して行う工法であるから、石を先に積み上げた後に石と石の間の隙間に植生袋を配置することは困難で、構築済みの石積み体を緑化する際は石を積み直す必要があり、手間と労力を伴うものであった。
【０００６】
また、特許文献２に記載の技術は、緑化マットは石積み体の表面に被覆しているだけであるから、肥料が枯渇すると植物が生育不良になり、保水性も不十分であった。また、河川の増水や強雨等により緑化マットが崩れて流出し易く、植物を安定的に定着させることは難しいものであった。
【先行技術文献】
【特許文献】
【０００７】
【特許文献１】特開平７−４８８２３号公報
【特許文献２】特開平９−２１１３５号公報
【発明の概要】
【発明が解決しようとする課題】
【０００８】
本発明が解決しようとする課題は、従来のこれらの問題点を解消し、構築済みの石積み体を石を積み直すことなく緑化でき、しかも植物が良好に生育して安定的に定着できるようにすることにある。
【課題を解決するための手段】
【０００９】
かかる課題を解決した本発明の構成は、
１）  地盤の側面位置に石を積み上げ、その石と地盤の間に裏込栗石を充填して構築した石積み体における緑化工法であって、堆積土又は堆肥化した植物廃材あるいはこれらを混合した基盤材と繊維片と水和反応で固化する固化材と植物の種子と肥料と水とを混練して植生基材を作製し、その植生基材を石と石の間の隙間から裏込栗石の層に対して圧入するとともに石と石の間の隙間に充填し、植生基材内の固化材の固化によって基盤材と繊維片を立体網状に連結させ、植生基材内の種子を発芽させて石と石の間の隙間から伸長させるようにしたことを特徴とする、石積み体の緑化工法
２）  基盤材と繊維片と固化材と種子と肥料と水との配合比が、基盤材１０００Ｌ容積に対して繊維片が１０〜２０ｋｇ、固化材が２０〜４０ｋｇ、種子が２００〜５００ｇ、肥料が５〜１５ｋｇ、水が０．２〜０．３ｍ３である、前記１）記載の石積み体の緑化工法
３）  石積み体が河川の堤体を構成するものである、前記１）又は２）記載の石積み体の緑化工法
にある。
【発明の効果】
【００１０】
本発明によれば、植生基材を石と石の間の隙間から裏込栗石に対して圧入し、さらに石と石の間の隙間にも充填する。植生基材の圧入後、所定時間が経過すると固化材が水和反応で固化し、基盤材と繊維片が立体網状に連結して多数の微細な空隙が形成されるとともに、植生基材が石と裏込栗石に強固に固着する。その後、植生基材内の種子が発芽し、石と石の間の隙間から植物が伸長して生育し、石積み体が緑化される。
【００１１】
このように、植生基材を石と石の間の隙間から圧入するから、構築済みの石積み体であっても石を積み直すことなく緑化できる。また、植生基材内に形成された微細な空隙により、保水性が向上するとともに空気層も形成され、植物の生育が良好なものとなる。さらに、固化材の固化で植生基材が石と裏込栗石に固着するから、河川の増水や強雨等の物理的な作用を受けても、従来技術のように容易に崩れて流出することがなく、植物を安定的に定着させることができる。
【図面の簡単な説明】
【００１２】
【図１】実施例の植生基材の圧入を示す説明図である。
【図２】実施例の石積み体の緑化状態を示す説明図である。
【発明を実施するための形態】
【００１３】
本発明の基盤材は、植生基材の主原料となるもので、堆積土又は堆肥化した植物廃材あるいはこれらを混合したものからなる。堆積土としては、ダム湖・調整池・貯水池・浄水場等で発生したものや、建設現場等で発生した土壌などを有効利用したものである。植物廃材としては、造成工事や道路工事等で発生した樹皮・枝・根株等の木材チップが利用される。配合比は、施工面積１００ｍ２当り８０００〜１００００Ｌの範囲が実用的である。
【００１４】
繊維片は、植生基材を嵩高くし、固化後に基盤材と繊維片を立体網状に連結して微細な空隙を多数有する土壌を形成するためのもので、植物廃材を解繊したものや古紙、パルプ等のセルロースを主成分としたものからなる。その配合比は、施工面積１００ｍ２当り１００〜２００ｋｇ（基盤材１０００Ｌ容積に対しては１０〜２０ｋｇ）が実用的で、１００ｋｇ以下では空隙の形成が不十分となり、２００ｋｇ以上では空隙が大きくなりすぎて保水性が低下することがある。
【００１５】
固化材は、水及び土と化学反応して半永久的な固化能力を持つ鎖状結束を形成し、基盤材や繊維片に浸透して植生基材を強固に安定させ、土壌安定化・団粒化・浸食防止・保水を図るためのもので、石灰系・石膏系・明礬系材料を主原料とし、これにアルミナやシリカを加えたものからなる。その配合比は、施工面積１００ｍ２当り２５０〜３５０ｋｇ（基盤材１０００Ｌ容積に対しては２０〜４０ｋｇ）が実用的であるが、作業時間や施工面積に応じて増減させる。
【００１６】
肥料は主に緩効性のものが用いられ、その配合比は、施工面積１００ｍ２当り６０〜９０ｋｇ（基盤材１０００Ｌ容積に対しては５〜１５ｋｇ）が実用的であるが、植物の種類や気象等に応じて適宜決定される。水は、裏込栗石の層への圧入が容易で、且つ固化前に石と石の間の隙間から容易に流出しない粘度になる量とし、基盤材１０００Ｌ容積に対して０．２〜０．３ｍ３が実用的ある。
【００１７】
以下、本発明を実施するための形態を実施例と図面に基づいて具体的に説明する。
【実施例】
【００１８】
図１，２に示す実施例は、河川の岸壁に構築された石積み体を本発明の緑化工法で緑化する例である。図１は実施例の植生基材の圧入を示す説明図、図２は実施例の石積み体の緑化状態を示す説明図である。図中、１は石積み体、２は石、３は隙間、４は裏込栗石層、５は裏込栗石、６は植生基材、７はノズル、Ｇは地盤、Ｐは植物、Ｗは河川である。
【００１９】
本実施例の植生基材６の配合比を表１に示す。混練に使用するタンクの容積は３ｍ３である。
【００２０】
【表１】
2012021348.tif 000003
【００２１】
基盤材はテラユーズ（商品名）、繊維片はテンソイル３号（商品名）、固化材はパームグリーン（商品名）、肥料はハイコントロール７００（商品名）を用いた。これらをタンクに投入し、ミキサーで混練して植生基材６を作製した。
【００２２】
この植生基材６をポンプでノズル７に圧送する。図１に示すように、石２と石２の間の隙間３にノズル７を挿入して植生基材６を吐出させると、裏込栗石５と裏込栗石５の間の隙間に圧入されて充填される。さらに石２と石２の間の隙間３にも充填する。この作業を全ての隙間３と裏込栗石層４の全域に対して行う。
【００２３】
植生基材６の充填後、混練から１〜２時間が経過すると、植生基材６内の固化材が水和反応で固化し、基盤材と繊維片が立体網状に連結して多数の微細な空隙が形成されるとともに、植生基材６が石２と裏込栗石５に強固に固着する。これにより、吸収した水を空隙に貯えることができて保水性が向上し、空気の出入りも容易となって植物Ｐの生育に良好な環境となる。また、植生基材６が河川Ｗの増水や強雨等の物理的な作用を受けても、従来技術のように容易に崩れて流出することがなく、恒久的に保持される。
【００２４】
水は降雨によって石２と石２の間の隙間３から植生基材６に浸水し、さらに裏込栗石層４の上面や地盤Ｇからも浸水して植生基材６内に保水される。その後、植生基材６内の種子が発芽し、混合した肥料と保水している水を吸収して植物Ｐが生育し、茎や葉が石２と石２の間の隙間３から伸長して石積み体１が緑化される。植物Ｐの根はさらに裏込栗石層４を通じて地盤Ｇの方へ伸長し、植生基材６内の肥料が枯渇しても不足分は地盤Ｇから吸収し、大きく生育して定着が安定したものとなる。
【産業上の利用可能性】
【００２５】
本発明の技術は、構築済みの石積み体の緑化に有用であるが、石積み体の構築の際に並行して施工することもできる。
【符号の説明】
【００２６】
１  石積み体
２  石
３  隙間
４  裏込栗石層
５  裏込栗石
６  植生基材
７  ノズル
Ｇ  地盤
Ｐ  植物
Ｗ  河川
【図１】
2012021348.tif 000004
【図２】
2012021348.tif 000005